(57)【要約】【課題】例えば建築物の壁面が湾曲状であっても煩わしい作業を発生させずに可及的に建築物との隙間を小さくすることができる昇降式足場装置を提供する。【解決手段】本発明の昇降式足場装置は、上下方向に延びたマスト１と、マスト１に沿って昇降自在に設けられた昇降部８と、昇降部８の側方側に設けられ、昇降部８が昇降することにともなって昇降する足場部２とを備え、昇降部８の側方には、昇降部８の足場部２側端部の所定部位を支点にして足場部２を水平方向に回動させるための足場部回動機構１５が設けられている。【選択図】図８
2014025326.tif 000002
【特許請求の範囲】
【請求項１】
上下方向に延びたマスト部と、
前記マスト部に沿って昇降自在に設けられた昇降部と、
前記昇降部の側方側に設けられ、前記昇降部が昇降することにともなって昇降する足場部とを備え、
前記昇降部の側方には、前記昇降部の前記足場部側端部の所定部位を支点にして前記足場部を水平方向に回動させるための足場部回動機構が設けられていることを特徴とする、昇降式足場装置。
【請求項２】
前記足場部回動機構は、
作業者の手動操作により回動する作業バーと、
前記作業バーに取付けられ、前記作業バーの回動により回動する略円盤状のピニオン部材と、
一端が前記昇降部に支持され、かつ前記ピニオン部材に歯合されるラック部材と、
前記作業バーを支持しつつ前記ラック部材の長手方向に沿って移動可能であって前記足場部の前記昇降部側基端部に連結され可動体とによって構成され、
作業者の手動操作により前記作業バーが回動されると、前記ピニオン部材が回動され、
前記ピニオン部材の回動によって前記ピニオン部材がそれに歯合された前記ラック部材に沿って移動することにともなって前記可動体が前記ラック部材に沿って移動され、
前記可動体の移動により前記足場部に対して押圧力が加わり、この押圧力により前記足場部が前記昇降部の前記足場部側端部の所定部位を支点にして水平方向に回動される、請求項１に記載の昇降式足場装置。
【請求項３】
前記足場部回動機構には、
前記足場部の回動を禁止するロック機構が設けられ、
前記ロック機構は、
前記昇降部に連接された第１連接部材と、
前記足場部に連接された第２連接部材と、
それらをともに締結自在な締結部材とによって構成されている、請求項１または２に記載の昇降式足場装置。
【請求項４】
前記昇降部は、
前記マスト部に沿って昇降する昇降本体部と、
前記本体部の前後方向にかつ水平方向に移動自在な水平移動部とによって構成され、
前記水平移動部の側方に前記足場部回動機構が設けられている、請求項１ないし３のいずれかに記載の昇降式足場装置。
【発明の詳細な説明】
【技術分野】
【０００１】  本発明は、例えばビル等の建築工事において敷設される仮設足場に用いられ、特に作業床が昇降移動可能な昇降式足場装置に関するものである。
【背景技術】
【０００２】  従来、仮設足場は、例えばビルやマンション等の建築現場において建築物に沿うようにして設けられ、作業者が作業を行うための作業床を有している。近年では、作業床が上下方向に昇降移動することが可能な昇降式足場装置が提案されている（例えば特許文献１参照）。
【先行技術文献】
【特許文献】
【０００３】
【特許文献１】特許第２８８１６７７号公報
【発明の概要】
【発明が解決しようとする課題】  すなわち、昇降式足場装置は、図１１に示すように、建築物が立設された地盤Ｇ上において例えばマスト５１が立設され、マスト５１に沿って上下方向に昇降可能な昇降部５２が設けられている。昇降部５２には、作業床を有する足場部５３が連結されている。足場部５３は、複数の枠組部材（図略）からなり、それらが側方方向に延びるようにして連設されている。【０００４】  昇降部５２には、モータ５４、５５がそれぞれ配設されている。モータ５４、５５は、それらが回転駆動することにより、昇降部５２をマスト５１に沿って昇降移動させるものである。モータ５４、５５は、それに付随するピニオン（図略）がマスト５１に設けられたラック５６に歯合されることによりマスト５１に連結され、モータ５４、５５が回転駆動されることにより昇降部５２が昇降される。足場部５３は、昇降部５２が昇降されることにより、ほぼ水平を維持したまま建築物の壁面に沿って昇降される。【０００５】  この昇降式足場装置では、上記したように建築物が通常のビルやマンション等のように壁面が平面状である建物の場合、その平面状の壁面に沿って上下移動される。そのため、昇降式足場装置の配置を適切に行えば、建築物と昇降式足場装置との間は適切な間隔を有することになる。そのため、作業者は所定の高さ位置で足場部５３を停止させ、上記高さ位置で良好に作業を行うことができる。【０００６】  ところが、建築物が例えばタンクのように壁面が湾曲状であったり、建築物が例えば煙突のように略円筒状であったりした場合には、昇降式足場装置を建築物に沿わして設置したとしても、昇降式足場装置と建築物との間に必要以上に隙間ができる箇所が生じる。そのため、作業者がその隙間から作業中に落下したり、工具等が落下したりするおそれがある。【０００７】  従来では、そのような隙間が生じた場合には、その隙間部分に例えば昇降式足場装置から複数のパイプ材を水平方向に延ばし、それらのパイプ材に足場板を配置して簡易の作業床を布設するようにしていた。【０００８】  しかしながら、上記の簡易の作業床を布設する作業は、高所作業となるため危険がともなうだけでなく、煩わしい作業である。さらに、例えば塔のように建築物の壁面が高さに応じて変わるような（上方に向かうほど細くなるような）建物に対して、作業床の高さ位置を変えながら作業を行う場合には、上記したパイプ材等による簡易の作業床を撤去したり新たに布設し直したりする必要があり、面倒な作業が発生する。【０００９】  このように、従来の昇降式足場装置では、その足場部５３が略直線状に延びているため、上記したように壁面が湾曲状あるいは円筒状の建築物に不向きであった。また、昇降式足場装置と建築物との隙間を小さくするために簡易の作業床を布設する場合には、煩わしい作業が発生するといった問題点があった。【００１０】  夲発明は、上記した事情のもとで考え出されたものであって、例えば建築物の壁面が湾曲状であっても煩わしい作業を発生させずに可及的に建築物との隙間を小さくすることができる昇降式足場装置を提供することを、その課題とする。
【課題を解決するための手段】
【００１１】  本発明によって提供される昇降式足場装置は、上下方向に延びたマスト部と、前記マスト部に沿って昇降自在に設けられた昇降部と、前記昇降部の側方側に設けられ、前記昇降部が昇降することにともなって昇降する足場部とを備え、前記昇降部の側方には、前記昇降部の前記足場部側端部の所定部位を支点にして前記足場部を水平方向に回動させるための足場部回動機構が設けられていることを特徴としている。【００１２】  本発明の昇降式足場装置において、前記足場部回動機構は、作業者の手動操作により回動する作業バーと、前記作業バーに取付けられ、前記作業バーの回動により回動する略円盤状のピニオン部材と、一端が前記昇降部に支持され、かつ前記ピニオン部材に歯合されるラック部材と、前記作業バーを支持しつつ前記ラック部材の長手方向に沿って移動可能であって前記足場部の前記昇降部側基端部に連結され可動体とによって構成され、作業者の手動操作により前記作業バーが回動されると、前記ピニオン部材が回動され、前記ピニオン部材の回動によって前記ピニオン部材がそれに歯合された前記ラック部材に沿って移動することにともなって前記可動体が前記ラック部材に沿って移動され、前記可動体の移動により前記足場部に対して押圧力が加わり、この押圧力により前記足場部が前記昇降部の前記足場部側端部の所定部位を支点にして水平方向に回動されるとよい。【００１３】  本発明の昇降式足場装置において、前記足場部回動機構には、前記足場部の回動を禁止するロック機構が設けられ、前記ロック機構は、前記昇降部に連接された第１連接部材と、前記足場部に連接された第２連接部材と、それらをともに締結自在な締結部材とによって構成されているとよい。【００１４】  本発明の昇降式足場装置において、前記昇降部は、前記マスト部に沿って昇降する昇降本体部と、前記本体部の前後方向にかつ水平方向に移動自在な水平移動部とによって構成され、前記水平移動部の側方に前記足場部回動機構が設けられているとよい。
【発明の効果】
【００１５】  本発明によれば、昇降部の側方に昇降部の足場部側端部の所定部位を支点にして足場部を水平方向に回動させるための足場部回動機構が設けられているので、この足場部回動機構によって足場部を回動させることができる。そのため、例えば壁面が湾曲状の建築物に対して作業を行う場合でも、足場部を壁面に接近させて配することができる。したがって、従来の構成のように簡易の作業床を布設するといった煩わしい作業を発生させずに、可及的に建築物との隙間を小さくすることができる。
【図面の簡単な説明】
【００１６】
【図１】本発明に係る昇降式足場装置を示す正面図である。
【図２】モータとピニオンの配置関係を示し、（ａ）は側面図、（ｂ）は背面図である。
【図３】昇降式足場装置を斜め上方から見た部分斜視図である。
【図４】昇降式足場装置を斜め下方から見た部分斜視図である。
【図５】足場部回動機構の主要部分を後方側から見た斜視図である。
【図６】足場部回動機構の動作を説明するための図である。
【図７】足場部回動機構の動作を説明するための図である。
【図８】昇降式足場装置の左方足場部が回動され、建築物に沿って配置されたときの状態を示す図である。
【図９】昇降式足場装置の左方足場部が回動されるとともに移動部が移動され、建築物に沿って配置されたときの状態を示す図である。
【図１０】昇降式足場装置の左方足場部及び右方足場部が回動され、建築物に沿って配置されたときの状態を示す図である。
【図１１】従来の昇降式足場装置を示す正面図である。
【発明を実施するための形態】
【００１７】  以下、本発明の実施の形態につき、図面を参照して具体的に説明する。
【００１８】  図１は、本発明に係る昇降式足場装置（以下、単に「足場装置」という）を示す正面図である。この足場装置は、例えば建築工事の仮設足場に用いられるものであり、特に作業床が昇降する昇降式のものである。
【００１９】  足場装置は、図１に示すように、所定の高さを有するマスト１と、このマスト１に支持された昇降移動可能な足場部２とを備えている。なお、以下の説明では、構成が共通する部材については同符号で示す。
【００２０】  マスト１は、これを支持するためのベース部３を有している。ベース部３は略平板状に形成されており、ベース部３の角部には複数のジャッキ機構４が設けられている。ジャッキ機構４は、地盤Ｇに対してそれぞれの高さが調整されることにより、ベース部３を水平状態に維持するものである。
【００２１】  マスト１は、外形が略直方体の枠状に形成された枠組部材５が複数個連接された構成とされている。具体的には、マスト１は、ベース部３の中央部において最下段の枠組部材５が取付けられ、その枠組部材５の上方に他の枠組部材５が積み重ねられて構成される。
【００２２】  マスト１の各枠組部材５の内部空間には、上下方向に延びたラック６が設けられている。ラック６は、長尺状に形成され、図２（ｂ）に示すように、その一方側端面に歯合部６ａが形成されている。歯合部６ａには、２つのピニオン７がそれぞれ歯合され、ピニオン７は、後述する第１モータ９及び第２モータ１０の回動軸９ａ，１０ａにそれぞれ設けられている。
【００２３】  マスト１には、それに沿って上下方向に昇降自在とされた昇降本体部８が設けられている。昇降本体部８は、高さ方向に延びた略直方体の枠状に形成されている。昇降本体部８は、図略のガイドローラを介して枠組部材５の外表面に沿って昇降される。
【００２４】  昇降本体部８には、図１及び図２に示すように、これを昇降させるための第１モータ９及び第２モータ１０が上下に並設されて配置されている。第１及び第２モータ９，１０は、誘導モータとされ、その回転を停止させるブレーキ機構がそれぞれ備えられている。第１及び第２モータ９，１０は、一方のモータが故障した場合等に他方のモータを使用するといった非常時の安全性を考慮したものとされている。
【００２５】  昇降本体部８には、それを覆うように配置され、前後方向（図１において紙面の手前又は奥行き方向）に水平移動自在な水平移動部１１が設けられている。水平移動部１１は、前後方向に延びた略直方体の枠状に形成されている。水平移動部１１は、昇降本体部８が昇降することによりともに昇降される。
【００２６】  足場部２は、水平移動部１１に対して左方向に延びた左方足場部１２と、水平移動部１１に対して右方向に延びた右方足場部１３と、水平移動部１１の前方方向で左方足場部１２と右方足場部１３とを結ぶ中央足場部１４とによって構成されている。左方足場部１２と水平移動部１１との間には、左方足場部１２を後方側に回動させるための足場部回動機構１５（後述）が設けられている。
【００２７】  また、左方足場部１２には、左方向に進退自在とされた左方進退部１６が設けられている。一方、右方足場部１３には、右方向に進退自在とされた右方進退部１７が設けられている（図１は、左方進退部１６及び右方進退部１７がそれぞれ進出した状態を示している。）。
【００２８】  上記構成により、第１及び第２モータ９，１０が駆動されて昇降本体部８が昇降されることにより水平移動部１１が昇降され、その結果、足場部２も昇降される。また、水平移動部１１が前後方向に移動されると、足場部２も前後方向に移動される。
【００２９】  なお、足場部２は、機能別に左方足場部１２、右方足場部１３及び中央足場部１４等に分類されるが、共通する部材構成としては、略直方体の枠状に形成された複数の枠組部材と、各枠組部材の上面に配され作業者の踏み床となる作業床と、各枠組部材に立設され、作業者の転落を防止するための複数の手摺１９とを有する。
【００３０】  図３に示すように、例えば左方足場部１２では作業床１２ａを有し、中央足場部１４では作業床１４ａを有し、作業床１２ａと作業床１４ａとの間には、足場部回動機構１５の一部として構成される連接支持板１８が設けられている。このように、作業床１４ａや連接支持板１８が設けられることにより、足場部２の作業床は、左端に配される左方進退部１６から右端に配される右方進退部１７にわたってほぼ面一とされる。したがって、足場部２に搭乗した作業者は、左方進退部１６から右方進退部１７に一旦足場部２から降りることなく移動することができる。なお、図３では、中央足場部１４の手摺１９が省略されている。
【００３１】  図１に戻り、マスト１には、左方足場部１２及び右方足場部１３を担持支持するための担持機構２０がそれぞれ設けられている。例えば左方足場部１２が足場部回動機構１５によって回動されるとき、左方足場部１２は担持機構２０によって担持されながら回動される。
【００３２】  右方足場部１３の手摺１９には、第１及び第２モータ９，１０等を駆動制御したり、図略のリミットスイッチからの信号を入力することにより足場部３の昇降停止を制御したりするための制御盤２１が設けられている。制御盤２１は、図示しない電源ケーブルが地上から延びて接続され、図示しない動力ケーブルが第１及び第２モータ９，１０に接続されている。
【００３３】  ここで、本実施形態の特徴部分である足場部回動機構１５について説明する。
【００３４】  足場部回動機構１５は、左方足場部１２と水平移動部１１との間に設けられている。足場部回動機構１５は、水平移動部１１の左方端部（左方足場部１２の基端部）を支点にして左方足場部１２の先端を後方側に回動させるためのものである。より詳細には、左方足場部１２は、その基端部の後方側の上端部及び下端部に位置する連結部２４（図４参照）を支点にして水平移動部１１に対して回動自在とされている。
【００３５】  左方足場部１２と中央足場部１４との間には、図３に示すように、上述した連接支持板１８が備えられている。連接支持板１８は、略扇状に形成され、一端部が水平移動部１１の左側面部に沿うようにして固定されている。連接支持板１８は、中心が異なる円弧状に形成された２つの第１案内孔２５及び第２案内孔２６を有している。
【００３６】  第１案内孔２５は、第２案内孔２６より後方側に形成されている。第１案内孔２５は、左方足場部１２を回動させるための作動バー２７（図５参照）を案内するためのものである。なお、図５は、足場部回動機構１５の主要部分を後方側から見た斜視図である。第２案内孔２６は、後述するように、左方足場部１２の回動を補助する補助バー２８（図３及び図４参照）を案内するためのものである。
【００３７】  作動バー２７は、図５に示すように、断面視六角形状の棒状に形成され、上下方向に延びて可動体２９（後述）によって回動自在に支持されている。作動バー２７は、その上端にこれを回動させるための汎用の工具（例えばラチェットＲ）が作業者によって装着され、このラチェットＲの作業者による手動操作により回動される。
【００３８】  作動バー２７の他端には、可動体２９が設けられている。可動体２９は、作動バー２７を支持するとともに、左方足場部１２の枠組部材を構成する角柱材３０に連結部材３１を介して水平方向に回動自在に支持されている。可動体２９は略直方体形状に形成され、可動体２９には一対の支持片２９ａが形成されている。一対の支持片２９ａは、可動体２９の上部及び下部から水平方向に延び、両支持片２９ａの間には、周縁に歯部３２ａを有する円盤状のピニオン部材３２が回動自在に支持されている。可動体２９の一対の支持片２９ａが延びた側の側面には、長孔２９ｂが形成されている。ピニオン部材３２は、この長孔２９ｂに沿うようにして作動バー２７の下端近傍に取付けられている。
【００３９】  可動体２９には、軸心方向に貫通するように中空部２９ｃが形成され、中空部２９ｃには、この中空部２９ｃ内を移動可能とされたラック部材３３が挿通されている。ラック部材３３は、断面視略円形の棒状に形成されており、長手方向に沿う円弧部分にピニオン部材３２の歯部３２ａと歯合される歯合部３３ａが形成されている。歯合部３３ａは、その一部が可動体２９の長孔２９ｂから外部に臨まれ、この臨まれた歯合部３３ａの一部がピニオン部材３２の歯部３２ａと歯合される。
【００４０】  ラック部材３３は、その基端が水平移動部１１の左方端部に支持される一方、先端側が無接続とされ、いわゆる片持ち状態となっている。より詳細には、ラック部材３３の基端は、水平移動部１１に設けられた支持受け３４（図４及び図５参照）により水平方向に可動自在に支持されている。
【００４１】  ピニオン部材３２は、水平方向に回動するように作動バー２７の下端部に取付けられているので、作動バー２７が回動されることにともない回動される。ピニオン部材３２が回動すると、その回動力は、それに歯合されているラック部材３３に伝えられる。すなわち、上記したピニオン部材３２とラック部材３３とで、ラック＆ピニオン機構が構成され、この機構により、作動バー２７の回動運動が可動体２９の直線運動に変換される。例えば作動バー２７がラチェットＲによって反時計周りに回動されると（図５の矢印Ａ参照）、可動体２９は図５に示す矢印Ｂで示される方向に移動される。
【００４２】  可動体２９を連結支持するための連結部材３１は、角柱材３０を包み込むように略筒状に形成され、連結部材３１には、可動体２９を上下から挟み込むように支持する一対の支持片３１ａが形成されている。可動体２９は、これと一対の支持片３１ａとを貫通するボルト（図略）によって左方足場部１２の角柱材３０に連結される。
【００４３】  また、連結部材３１の上記側面と反対側の側面には、斜め上方向に延びた補強部材３５が設けられている。補強部材３５の上端は、左方足場部１２の上面とほぼ面一になるように設けられた扇状部材３６（図３及び図４参照）に固着されている。
【００４４】  連接支持板１８の第２案内孔２６に案内される補助バー２８は、断面視円形状の棒状に形成され上下方向に延びている。補助バー２８は、上端部先端が第２案内孔２６から上方に露出され、その下部が左方足場部１２の枠組部材の連結片３７（図４参照）に支持されている。また、補助バー２８は、下端部先端が案内枠３８（後述）によって案内され、その上部が左方足場部１２の枠組部材の連結片４０に支持されている。
【００４５】  案内枠３８は、略円弧状に形成され、内側に案内孔３９が形成されている。案内孔３９は、第２案内孔２６と同一軌跡を有する円弧状に形成されている。案内枠３８の一端は、水平移動部１１の枠組部材に固定された連結片４１に回動自在に支持される一方、他端は無接続とされていわゆる片持ち状態となっている。
【００４６】  補助バー２８は、左方足場部１２が回動されることにより、第２案内孔２６及び案内孔３９に案内され、左方足場部１２とともに移動される。
【００４７】  補助バー２８には、左方足場部１２の回動動作を禁止するためのロック機構が設けられている。すなわち、作業者が補助バー２８の上端のボルト２８ａを例えば時計周りに回動させると、連接支持板１８（特許請求の範囲に記載の「第１連接部材」に相当）及び扇状部材３６（特許請求の範囲に記載の「第２連接部材」に相当）がボルト２８ａと図示しないナットに挟み込まれるようにして締め付けられる。そのため、左方足場部１２は、所望の角度位置まで回動された後、停止された位置で固定支持される。
【００４８】  なお、このロック機構を解除するためには、補助バー２８の上端のボルト２８ａ（図３参照）を作業者が例えば反時計周りに回動させるようにすればよい。
【００４９】  左方足場部１２の作業床１２ａの縁部には、可動自在とされた幅木４２が設けられている。幅木４２は長尺状の平板からなり、幅木４２の一端は中央足場部１４の左方足場部１２側端部における固定部材４３によって固定され、左方足場部１２の作業床１２ａの縁部に設けられた案内部材４４によって摺動支持されている。幅木４２は、上記足場部回動機構１５により左方足場部１２が回動された場合であっても、一端が固定部材４３に固定されているので、作業床１２ａの縁部を適切に遮蔽することができる。そのため、左方足場部１２が回動した場合でも例えば工具等の落下を防止することができる。
【００５０】  次に、足場部回動機構１５の作用について説明する。
【００５１】  ここで、図６に示すように、左方足場部１２が回動されていない状態であるとする。なお、図６及び図７では連接支持板１８が省略されている。まず、作業者は、例えばラチェットＲを作業バー２７の先端に装着し、ラチェットＲを反時計周りに回動させる（図６の矢印Ａ参照）。これにより、作業バー２７の下端部に取付けられたピニオン部材３２が同方向に回動する。
【００５２】  この場合、ピニオン部材３２は、可動体２９に支持され、かつラック部材３３に歯合されており、ラック部材３３の一端は、水平移動部１１の支持受け３４に支持されているため、可動体２９は水平移動部１１に対して離れる方向に力が加わり、すなわち、可動体２９はラック部材３３に沿って移動される（矢印Ｂ参照）。
【００５３】  可動体２９は、連結部材３１を介して左方足場部１２の角柱材３０に連結されているため、可動体２９がラック部材３３に沿って移動すると、左方足場部１２に押圧力が加わり、左方足場部１２は水平移動部１１から離れる方向に移動しようとする。左方足場部１２は、連結部２４において水平移動部１１に連結されて支持されているので、左方足場部１２は、図７に示すように、その先端が後方側に移動するように回動される（矢印Ｃ参照）。
【００５４】  この場合、補助バー２８は、左方足場部１２の上端部の連結片３７及び下端部の連結片４０に連結されているため、左方足場部１２とともに移動する。すなわち、補助バー２８の上端部は、連接支持板１８の第２案内孔２６に案内されるとともに、下端部は、連結枠３８の案内孔３９にそれぞれ案内される。
【００５５】  ここで、作業者は、任意の回動角度位置で左方足場部１２を回動させないようにロックすることができる。すなわち、ラチェットＲの回動操作により左方足場板１２を任意の回動角度位置に停止させ、その後、ラチェットＲを第１案内孔２６に案内されている補助バー２８のボルト２８ａに装着する。そして、ラチェットＲを回動操作させることにより、ボルト２８ａを締め付ける。これにより、連接支持板１８及び扇状部材３６がボルト２８ａと図示しないナットに挟み込まれ、左方足場板１２の回動動作が禁止される。そのため、左方足場部１２を任意の回動角度位置で固定させることができる。
【００５６】  このように、本実施形態に係る足場部回動機構１５によれば、作業者の例えば汎用のラチェットＲによる手動操作によって左方足場部１２を水平移動部１１の連結部２４を支点にして容易に回動させることができる。そのため、図８に示すように、建築物Ｓの壁面が湾曲状に形成されている場合であっても、その壁面に接近させて足場装置の足場部２を配置することができる。したがって、従来の構成のように簡易の作業床を布設するといった煩わしい作業を発生させずに、可及的に建築物との隙間を小さくすることができる。よって、作業者は、工具等を落下させるおそれを極力抑制でき、建築物Ｓに接近した場所で良好に作業を行うことができる。
【００５７】  また、この足場回動機構１５によれば、補助バー２８をロックさせることにより、左方足場板１２を任意の位置に固定することができるので、作業時に作業床が安定し、確実な作業を行うことができる。
【００５８】  また、この足場回動機構１５によれば、左方足場部１２を回動させたりロックさせたりする場合には、汎用の工具であるラチェットＲで容易に行うことができる。しかも足場部２の作業床上でラチェットＲを操作することができるので、効率的に作業を行うことができる。
【００５９】  また、この足場部回動機構１５によれば、左方足場部１２を回動させるとき、モータ等の駆動力を用いずに作業者による手動操作によって行なうことができるため、左方足場部１２を回動させる場合の電力消費の低減化を図ることができる。
【００６０】  また、本実施形態に係る足場装置は、水平移動部１１が昇降本体部８に対して前後方向に移動可能であるので、図９に示すように、左方足場部１２が回動され（矢印Ｃ参照）、その後、水平移動部１１が昇降本体部８に対して移動されると（矢印Ｄ参照）、建築物Ｓと足場部２との間をより接近させるといった微調整が可能である。そのため、作業者は、より一層適切な位置で作業を行うことができる。
【００６１】  また、足場部回動機構１５は、左方足場部１２側だけでなく、右方足場部１３側にも設けることができる。このように左方足場部１２及び右方足場部１３の両方に足場部回動機構１５を設ければ、図１０に示すように、建築物Ｓが例えば煙突等のような略円筒状、もしくは略円柱状であっても、建築物Ｓの形状に沿って足場装置を配置することができ、良好に作業を行うことができる。
【００６２】  また、例えば塔のように建築物の壁面が高さに応じて変わるような（上方に向かうほど細くなるような）建物に対して、足場部２の作業床の高さ位置を変えながら作業を行う場合にも、足場部２を昇降させた後に、逐次建築物に接近するように足場部２を移動させることができる。そのため、従来の構成のように、パイプ材等による簡易の作業床を撤去したり新たに布設し直したりする必要がなくなり、面倒な作業が発生することもない。
【００６３】  なお、本発明の範囲は上述した実施の形態に限定されるものではなく、発明の範囲を逸脱しない範囲で種々の変更を行うことができる。例えば上記実施形態の説明においては、足場部回動機構１５は、左方足場部１２にのみ設けられていたが、これに代えて、右方足場部１３にのみ設けられていてもよい。
【００６４】  また、上記実施形態では、足場部２は後方側に回動するように構成されたが、これに代えて、足場部２は手前側に回動するように構成されてもよい。
【００６５】  また、上記実施形態における足場部回動機構を構成する部材の数、形態、大きさ及び構成等は、上記実施形態に限るものではない。また、マスト１、足場部２、昇降本体部８、水平移動部１１並びに第１及び第２モータ９，１０等の構成は、適宜設計変更可能である。また、上記実施形態の足場装置は、１つのマストで構成されていたが、マストの数は２以上で構成されていてもよい。
【符号の説明】
【００６６】  １    マスト
２    足場部
８    昇降本体部
９    第１モータ
１０    第２モータ
１１    水平移動部
１２    左方足場部
１３    右方足場部
１４    中央足場部
１５    足場部回動機構
１８    連接支持板
２７    作動バー
２８    補助バー
２９    可動体
３０    角柱材
３２    ピニオン部材
３３    ラック部材
３６    扇状部材
Ｒ      ラチェット
【図１】
2014025326.tif 000003
【図２】
2014025326.tif 000004
【図３】
2014025326.tif 000005
【図４】
2014025326.tif 000006
【図５】
2014025326.tif 000007
【図６】
2014025326.tif 000008
【図７】
2014025326.tif 000009
【図８】
2014025326.tif 000010
【図９】
2014025326.tif 000011
【図１０】
2014025326.tif 000012
【図１１】
2014025326.tif 000013